(57)【要約】クリップ（２５）によりフレーム（１６）と一体化されたシャフト（１）にクリップ（１１）によって固定され、予備用袋（１２）を含む中空のハンドル（９）と、スロット（５）内を摺動し（Ａ）の部分でロッド（２）にねじ込みされた引張り部品（３）を介してシャフト（１）内を移動するロッド（２）より構成される犬の糞取り器。ロッド（２）はクリップ（２４）によってロッド（１７）に連結され、該ロッド（１７）をフレーム（１６）の分岐部（１８及び２０）上で（１９）の位置まで前進させたり後退させたりする。辺（１７，１８，１９，２０）により形成される矩形部の内部は袋（２６）を含む空間を提供し、袋は、頭部が丸みを帯びたＴ字形の小さなフック（２２）上に前もって設けられた４個の穴（２７）によってこの空間に装着され、これにより、袋（２６）を随意に開閉することができる。
2006509527.tif 000002
【特許請求の範囲】
【請求項１】
犬の糞取り器において、シャフト（１）と同じ材料（生分解性のプラスチック、ＰＶＣ）で製作されており、予備用袋を入れることのできる中空のハンドル（９）が設けられており、一方の面に指形が成形されているこのハンドルによって、蓋（１３）によってその上部で開閉するようになっており、このハンドルは、ロッド（1、「シャフト」と呼ぶ）に固定されたクリップによってシャフトに装着され、このロッド (1、「シャフト」と呼ぶ) は、２つの溝（６）で終端するスロット（５）を含んでおり、これにより、このスロット内で引っ張り部品（３）を移動させたり、溝内でロックしたりすることができ、ハンドルと反対側の端部においては、クリップがロッド（1、「シャフト」と呼ぶ）をフレーム（１６）に固定しており、中空のシャフト（１）が、同様にクリップによってフレーム（１６）の可動部（２４及び１７）に固定されたロッド（２）を含んでおり、該ロッド（２）が、該ロッド部に固定されスロット（５）内で摺動する引っ張り部品を通じてフレームの可動部分（１７）を前進させたり、後退させたりすることを可能にしており、シャフト（１）とロッド（２）は、フレーム（１６）と一体化されており、このフレームの可動部（１７）が辺（１８及び２０）上で摺動して、随意にフレームを開閉することができ、フレームが、Ｔ字形の４個のフック（２２）によってフレームに固定することにより、袋（２６）を収納することができ、フレームの運動によって袋を随意に開閉することができることを特徴とする、犬の糞取り器。
【請求項２】
ハンドル（９）上に成形された指形の反対側の部分に固定された開くリング（１０）と、ハンドルから約４００ｍｍの位置でロッド（1、「シャフト」と呼ぶ）上に固定され、あらゆる型式の犬用鎖を安定的に取り巻くのに十分な長さのマジックテープ（８）とを含み、希望する場合には、犬用鎖をこのリング及びマジックテープ内に保持することにより、糞取り器を片手だけで持つことができる、請求項１記載の糞取り器。
【請求項３】
すべてがクリップで固定されているため、３つの部分、すなわち、ハンドル（９）、シャフト（１）及びフレーム（１６）に分解できる、請求項１又は２記載の糞取り器。
【請求項４】
１４０ｍｍ×１５０ｍｍの矩形部の底部を有し高さが１５０ｍｍの生分解性で防水性で柔軟な（プラスチック）材料製の袋（２６）を特徴とする。この袋は、さらに、この袋をフレームに固定した後に、地面または糞と糞取り器とのあらゆる接触を防止するための５０ｍｍの折り返し部を含んでおり、折り返し部のちょうど境界部に予め設けられた 4 個の穴により、袋をＴ字形フック（２２）上でフレームに固定することができる。袋には、シャフトの正面の折り返し部の下部に、合成樹脂製の紐付き接着パッチ（２８）があり、これにより袋を捨てる前に閉じることができる。また、折り返し部が、クリップ（２４）によって可動部（１７）に連結されたロッド（２）のそれぞれの側に位置するように、折り返し部に切り抜き部（２９）が設けられている、請求項１から３までのいずれか１項記載の糞取り器。
【発明の詳細な説明】
【技術分野】
【０００１】
本発明は、犬の糞を実用的且つ衛生的に収集するためのものであり、この結果として、犬の糞を押し払ったり、掃いたり、拾ったりするために身をかがめる必要なしにどこでも犬を散歩させることができる。
【０００２】
原理は、犬の糞によって道を汚すことなく、犬が糞をした場合にその場で収集するというものである。
【０００３】
本器具は、軽量で、耐久性があり、取り外し可能であり、安価である。
【０００４】
本発明の説明
本発明の装置は、４つの異なる要素（図１，２，３，４の１，９，１６，２６）で構成され、これらを集合させることにより本器具が形成される。
【０００５】
図１：
シャフト（１）は中空であり、直径が１５ｍｍ（場合によっては、これよりも小さくてもよい）で、軽量で耐久性があり剛性が高く生分解性の材料（プラスチック、ＰＶＣ等の種類のもの）でできており、一体成形（Ａ部とＢ部）されたロッド（２）を含んでいる。このロッドの一方の端部（Ａ）には、ピストンの役割を果たす長さ５ｃｍ、高さ１４ｍｍの部分があり、このピストン部は、同ピストン部にねじ込みされた、スロット（５）内で運動する引っ張り部品（３）によって駆動される。ロッド（２）のもう一方の端部には、クリップの２つのオス部が固定されており（図1の４）、これらのオス部は、クリップのメス部（図３の２４）に連結され、これにより、ロッド（図３の１７）がフレーム（図３の１６）上で運動することを可能にしている。ロッド（図1の１）内の長さ１５０ｍｍ、幅５ｍｍのスロット（５）は、その両端において、ロッド(図３の１７)を開位置または閉位置でロックするための溝（６）で終端している。ピストン（Ａ）にねじ込みされた引っ張り部品（３）は、スロット（５）に沿って摺動し、この引っ張り部品に固定されているロッド（２）がロッド（図３の１７）を動かすことを可能にしている。全体と同じ材料で製作されたピストンは、摩擦なしにロッド（１）内を摺動できるような直径を有する。ロッド（１）の両端には、端部から２０ｍｍの位置に、クリップの２つのオス部が固定されている（７）。本器具は２つの固定部によって犬用鎖と一体化することができるため、本発明の装置は片手だけでも使用することができる。すなわち、一方の固定部（８）は、ロッド（１）のピストン側の端部から４００ｍｍの位置のロッド（１）上にある。この固定部は、市販されているあらゆる型式の犬用鎖を安定的に取り巻くのに十分な長さのマジックテープ（Velcro）で構成されている。他方の固定部（図２の１０）は、押すだけで開閉できるリングであり、犬用鎖のハンドルに取り付けることにより、ハンドル（図２の９）と一体化することができる。図１に示されている部品（２及び３）は、ロッド（１）と同様に、取り外し及び交換が可能であり、器具全体を交換することなく、部品を交換することが可能である。
【０００６】
図２：
ロッド（図１の１）と同じ材料で製作されたハンドル（９）は、長さ１３ｃｍ、直径４ｃｍであり、良好な把持を確保するために、一方の面上に指形が成形されている。反対側の面上には、リング（図２の１０）が固定される。中空のハンドルは、１００ｍｍの位置に底部を有し、残りの３０ｍｍの部分には、ロッド（図１の１）に装着されるクリップのメス部（１１）が収納される。中空部には予備用袋（１２）が収納される。ハンドルは、その上部において、ヒンジ（１４）上で運動しクリップ（１５）によって閉じる蓋（１３）によって閉じられる。当該ハンドル（９）も交換可能である。
【０００７】
図３：
ロッド（１）と同じ材料で製作されたフレーム（１６）は、当該フレームをロッド（図１の１）に連結するクリップのメス部（２５）を収納する長さ３０ｍｍのエルボー部で終端している、外辺が１７０ｍｍの正方形を形成する直径１０ｍｍの一体部品（１８，１９，２０，２１）で構成されている。２つのメス部の間の空間は、応力も遊びもなしにロッド（１）上にクリップ固定することを可能にしている。フレーム（１６）と同じ直径を有するロッド（１７）は、（１，１２，１６）と同じ材料でできた２つの円形部品（２３）によって（１８及び２０）上を摺動する。これらの円形部品は、円形部品と一体化されたカラーを閉じるリベットによって、（１７）のそれぞれの端部に固定されている。これらの２つの円形部品（２３）のそれぞれに、４個のフック（２２）のうちの１つが取り付けられている。引っ張り部品（３）によってロッド（２）が駆動されると、ロッドは矩形部（１７，１８，１９，２０）を開閉し、この矩形部の内部に設置されている袋（２６）を開閉する。
【０００８】
（１７）とロッド（１９）との間の内部の袋用の自由空間は、１４０ｍｍである。フレームの２つの分岐部（１８及び２０）の間の自由空間は、１５０ｍｍである。丸みを帯びた頭部を有する４個の小さなＴ字形のフック（２２）が、２個は（１９）の両端部に、２個は（１７）の両端部の２つの円形部品上に垂直にねじ込まれており、ここに袋（２６）を固定することができる。ロッド（１７）に固定された一体成形された管部は、（１７）を（２）に連結するオス部（４）を受けるクリップの２つのメス部（２４）を有している。このクリップの２つのメス穴は、溝（６）内に引っ張り部品（３）を設置する際にロッド（２）が回転できるようにするために長めにする。
【０００９】
図４：
袋（２６）は、生分解性、防水性及び柔軟な材料（プラスチック）で製作されている。矩形の底面（１４０×１５０ｍｍ）を有するこの袋は、（１６）に引っ掛けた状態で、高さが１５０ｍｍであり、本器具が常に道路や糞と接触しない状態に保つために、これに加えて（１７，１８，１９，２０）の縁部に５０ｍｍの折り返し部を有する。この折り返し部の下部の、使用者から見て右側の部分には、プラスチック紐付き接着パッチ（２８）があり、これにより袋（２６）を捨てる前に密封することができる。袋には、製造時にフック（２２）に引っ掛けられる４個の穴（２７）をあける。このことによって使用中の設置及び保持が容易になる。袋（２６）をロッド（２４に連結された２）のそれぞれの側に位置させるように、折り返し部に切り抜き部（２９）を設ける。
【００１０】
簡単に使用でき、軽量で安価な本発明の装置は、あらゆる場所において我々の友人である犬がもたらす衛生上の問題に対する実用的解決法となるものである。
【図面の簡単な説明】
【００１１】
【図１】シャフトの断面図である。
【図２】ハンドルの断面図である。
【図３】フレームの断面図である。
【図４】袋の斜視図である。
【図５】図１，２，３，４の部品を組み立てた状態の器具全体を示す斜視図である。
【符号の説明】
【００１２】
１  シャフト、  ２  ロッド、  ３  引っ張り部品、  ４  オス部、  ５  スロット、  ６  溝、  ８  固定部、  ９  ハンドル、  １０  固定部、  １１  メス部、  １２  予備用袋、  １３  蓋、  １４  ヒンジ、  １５  クリップ、  １６  フレーム、  １７  ロッド、  １８  分岐部、  ２０  分岐部、  ２３  円形部品、  ２４，２５  メス部、  ２６  袋、  ２７  ロッド、  ２８  接着パッチ、  ２９  切り抜き部
【図１】
2006509527.tif 000003
【図２】
2006509527.tif 000004
【図３】
2006509527.tif 000005
【図４】
2006509527.tif 000006
【図５】
2006509527.tif 000007
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
犬の糞取り器において、
中空のシャフトが設けられており、該シャフトが、該シャフトの第１の端部に固定されたハンドルと、シャフトの第２の端部に固定された矩形のフレームとを有しており、
中空のシャフト内に摺動可能に取り付けられた第１のロッドが設けられており、該第１のロッドが、フレームに沿って可動な第２のロッドに結合されるためにシャフトの第２の端部を越えて延びており、前記第１のロッドが、シャフトのスロットにおいて移動する引っ張り部材を介して作動させられるようになっており、
フレームと第２のロッドとに固定された袋が設けられており、該袋が、第１のロッドによって制御されるフレームに対する第２のロッドの位置に応じて、開閉させられることを特徴とする、犬の糞取り器。
【請求項２】
前記シャフトと、前記ハンドルと、前記第１のロッドと、前記フレームとが、取外し可能な固定手段を介して互いに固定されている、請求項１記載の犬の糞取り器。
【請求項３】
前記取外し可能な固定手段がクリップ固定手段である、請求項２記載の犬の糞取り器。
【請求項４】
前記シャフトのスロットのそれぞれの端部が溝を有しており、該溝により、第１のロッドが、袋が開放されている位置と、前記袋が閉鎖されている位置とにおいてロックされることができる、請求項１記載の犬の糞取り器。
【請求項５】
前記袋に、袋をフレームに固定するためのフックを収容するための穴が設けられている、請求項１記載の犬の糞取り器。
【請求項６】
前記袋が、捨てられる前に前記袋を閉鎖するためのプラスチック紐を含んでいる、請求項１記載の犬の糞取り器。
【請求項７】
前記ハンドルが、少なくとも１つの余分な袋を収容するために中空である、請求項１記載の犬の糞取り器。
【請求項８】
糞取り器を犬用鎖に固定するための固定手段が設けられている、請求項１記載の犬の糞取り器。
【請求項９】
２つの固定手段が設けられており、一方の固定手段がＶＥＬＣＲＯ（Ｒ）ストリップによって形成されており、他方の固定手段がハンドルに固定された円形部品によって形成されている、請求項８記載の犬の糞取り器。
【請求項１０】
エレメントが生分解性材料において実現されている、請求項１記載の犬の糞取り器。
【国際調査報告】
2006509527.tif 000008
2006509527.tif 000009
2006509527.tif 000010
2006509527.tif 000011